(57)【要約】【課題】  画像供給装置からの画像情報に基づく個別画像を含む全体画像をキャプチャーして画像データを記憶し、当該画像データに基づく画像を再生する際に、全体画像を再生するか、個別画像を再生するかに関係なく、より鮮明な画像を再生することが可能なプロジェクター等を提供すること。【解決手段】  プロジェクター１００が、画像供給装置から画像情報１３２が入力される入力部と、画像情報１３２に基づく個別画像を含む全体画像を投写する投写部１９０と、全体画像に対するキャプチャー指示と、全体画像または個別画像の再生指示を受け付ける受付部１１０と、全体画像に対するキャプチャー指示に応じて、画像情報１３２を、全体画像における個別画像の解像度である第１の解像度よりも大きい第２の解像度で、個別画像データ１３４として記憶部１３０に記憶するキャプチャー部１４０を含んで構成される。【選択図】  図２
2011216996.tif 000002
【特許請求の範囲】
【請求項１】
画像供給装置から画像情報が入力される入力部と、
前記画像情報に基づく個別画像を含む全体画像を投写する投写部と、
前記全体画像に対するキャプチャー指示と、前記全体画像または前記個別画像の再生指示とを受け付ける受付部と、
前記全体画像に対するキャプチャー指示に応じて、前記画像情報を、前記全体画像における前記個別画像の解像度である第１の解像度よりも大きい第２の解像度で、個別画像データとして記憶部に記憶するキャプチャー部と、
を含み、
前記投写部は、
前記全体画像の再生指示があった場合、前記個別画像データに基づき、前記第１の解像度で前記個別画像を含む前記全体画像を示す画像を投写し、
前記個別画像の再生指示があった場合、前記個別画像データに基づき、前記第２の解像度で前記個別画像を示す画像を投写する、
プロジェクター。
【請求項２】
請求項１に記載のプロジェクターにおいて、
前記キャプチャー部は、前記第１の解像度を示す第１の解像度データと、前記全体画像における前記個別画像の位置を示す位置データと、前記第２の解像度を示す第２の解像度データとを前記記憶部に記憶し、
前記投写部は、
前記全体画像の再生指示があった場合、前記第１の解像度データと、前記位置データと、前記個別画像データとに基づき、前記全体画像を示す画像を投写し、
前記個別画像の再生指示があった場合、前記第２の解像度データと、前記個別画像データとに基づき、前記個別画像を示す画像を投写する、
プロジェクター。
【請求項３】
請求項１、２のいずれかに記載のプロジェクターにおいて、
前記キャプチャー部は、前記画像情報の解像度が前記投写部の解像度よりも大きい場合、前記第２の解像度として、前記投写部の解像度以下の最大解像度を適用する、
プロジェクター。
【請求項４】
請求項１に記載のプロジェクターにおいて、
前記キャプチャー部は、前記全体画像を示す全体画像データを前記記憶部に記憶し、
前記投写部は、前記全体画像の再生指示があった場合、前記全体画像データに基づき、前記全体画像を示す画像を投写する、
プロジェクター。
【請求項５】
請求項１〜４のいずれかに記載のプロジェクターにおいて、
前記投写部は、前記全体画像に対するキャプチャー指示を受け付けるキャプチャー指示画像と、前記全体画像の再生指示と、前記個別画像の再生指示とを受け付ける再生指示画像とを投写する、
プロジェクター。
【請求項６】
プロジェクターが、
画像供給装置から画像情報が入力され、
前記画像情報に基づく個別画像を含む全体画像を投写し、
前記全体画像に対するキャプチャー指示を受け付け、
前記全体画像に対するキャプチャー指示に応じて、前記画像情報を、前記全体画像における前記個別画像の解像度である第１の解像度よりも大きい第２の解像度で、個別画像データとして記憶し、
前記全体画像の再生指示があった場合、前記個別画像データに基づき、前記第１の解像度で前記個別画像を含む前記全体画像を示す画像を投写し、
前記個別画像の再生指示があった場合、前記個別画像データに基づき、前記第２の解像度で前記個別画像を示す画像を投写する、
投写方法。
【発明の詳細な説明】
【技術分野】
【０００１】
本発明は、プロジェクターおよび投写方法に関する。
【背景技術】
【０００２】
例えば、特開２００９−１０００２１号公報では、画像供給装置からの画像情報に基づく個別画像を含む会議用画像を投写するプロジェクターが記載されている。また、入力される画像情報を用いて画像を投写している状況で、指示に応じて当該画像を示す画像データを記憶するプロジェクターが提案されている。この場合、プロジェクターは、投写時の解像度で画像データを記憶する。
【先行技術文献】
【特許文献】
【０００３】
【特許文献１】特開２００９−１０００２１号公報
【発明の概要】
【発明が解決しようとする課題】
【０００４】
例えば、プロジェクターが、第１の個別画像（第１の画像供給装置からの第１の画像情報で構成される画像）、第２の個別画像（第２の画像供給装置からの第２の画像情報で構成される画像）という２つの画像を含む全体画像を投写するものとする。この状態で、プロジェクターが、指示に応じて当該全体画像を示す画像データを記憶する場合、当該画像データの解像度は全体画像の解像度になってしまい、第１の画像情報の解像度が縮小されて記憶されることがある。
【０００５】
例えば、第１の画像情報の解像度が１２８０×８００ピクセルで、全体画像の解像度も１２８０×８００ピクセルで、第１の個別画像と第２の個別画像が同じ大きさで横に並べて全体画像に配置される場合、全体画像における第１の個別画像の解像度は６４０×４００ピクセルになってしまう。この状態で、プロジェクターが、記憶した画像データに基づいて第１の個別画像を１２８０×８００ピクセルに拡大して投写すると、第１の個別画像は不鮮明な状態になってしまう。特に、画像に細かい文字等が含まれている場合には、ユーザーは、投写された画像における文字等を識別できないことがある。
【０００６】
本発明にかかるいくつかの態様は、上記課題を解決することにより、画像供給装置からの画像情報に基づく個別画像を含む全体画像をキャプチャーして画像データを記憶し、当該画像データに基づく画像を再生する際に、全体画像を再生するか、個別画像を再生するかに関係なく、より鮮明な画像を再生することが可能なプロジェクターおよび投写方法を提供するものである。
【課題を解決するための手段】
【０００７】
本発明の態様の１つであるプロジェクターは、画像供給装置から画像情報が入力される入力部と、前記画像情報に基づく個別画像を含む全体画像を投写する投写部と、前記全体画像に対するキャプチャー指示と、前記全体画像または前記個別画像の再生指示とを受け付ける受付部と、前記全体画像に対するキャプチャー指示に応じて、前記画像情報を、前記全体画像における前記個別画像の解像度である第１の解像度よりも大きい第２の解像度で、個別画像データとして記憶部に記憶するキャプチャー部と、を含み、前記投写部は、前記全体画像の再生指示があった場合、前記個別画像データに基づき、前記第１の解像度で前記個別画像を含む前記全体画像を示す画像を投写し、前記個別画像の再生指示があった場合、前記個別画像データに基づき、前記第２の解像度で前記個別画像を示す画像を投写することを特徴とする。
【０００８】
また、本発明の態様の１つである投写方法は、プロジェクターが、画像供給装置から画像情報が入力され、前記画像情報に基づく個別画像を含む全体画像を投写し、前記全体画像に対するキャプチャー指示を受け付け、前記全体画像に対するキャプチャー指示に応じて、前記画像情報を、前記全体画像における前記個別画像の解像度である第１の解像度よりも大きい第２の解像度で、個別画像データとして記憶し、前記全体画像の再生指示があった場合、前記個別画像データに基づき、前記第１の解像度で前記個別画像を含む前記全体画像を示す画像を投写し、前記個別画像の再生指示があった場合、前記個別画像データに基づき、前記第２の解像度で前記個別画像を示す画像を投写することを特徴とする。
【０００９】
本発明によれば、プロジェクターは、全体画像に対するキャプチャー指示に応じて、全体画像における個別画像の第１の解像度よりも大きい第２の解像度で、個別画像データとして記憶し、当該個別画像データを用いて個別画像を示す画像を投写することができる。これにより、プロジェクターは、画像供給装置からの画像情報に基づく個別画像を含む全体画像をキャプチャーして画像データを記憶し、当該画像データに基づく画像を再生する際に、全体画像を再生するか、個別画像を再生するかに関係なく、より鮮明な画像を再生することができる。
【００１０】
また、前記キャプチャー部は、前記第１の解像度を示す第１の解像度データと、前記全体画像における前記個別画像の位置を示す位置データと、前記第２の解像度を示す第２の解像度データとを前記記憶部に記憶し、前記投写部は、前記全体画像の再生指示があった場合、前記第１の解像度データと、前記位置データと、前記個別画像データとに基づき、前記全体画像を示す画像を投写し、前記個別画像の再生指示があった場合、前記第２の解像度データと、前記個別画像データとに基づき、前記個別画像を示す画像を投写してもよい。これによれば、プロジェクターは、解像度データや位置データを記憶することにより、再生指示があった場合に適切な位置に適切な解像度で個別画像を表示することができる。
【００１１】
また、前記キャプチャー部は、前記画像情報の解像度が前記投写部の解像度よりも大きい場合、前記第２の解像度として、前記投写部の解像度以下の最大解像度を適用してもよい。これによれば、プロジェクターは、投写部の解像度以下の最大解像度で個別画像を再生することができるため、より鮮明な画像を再生することができる。
【００１２】
また、前記キャプチャー部は、前記全体画像を示す全体画像データを前記記憶部に記憶し、前記投写部は、前記全体画像の再生指示があった場合、前記全体画像データに基づき、前記全体画像を示す画像を投写してもよい。これによれば、プロジェクターは、全体画像データを記憶することにより、全体画像の再生指示があった場合に適切な位置に適切な解像度で個別画像を表示することができる。
【００１３】
また、前記投写部は、前記全体画像に対するキャプチャー指示を受け付けるキャプチャー指示画像と、前記全体画像の再生指示と、前記個別画像の再生指示とを受け付ける再生指示画像とを投写してもよい。これによれば、ユーザーは、画像を確認しながらキャプチャー指示と再生指示を行えるため、プロジェクターは、ユーザーの使い勝手を向上させることができる。
【図面の簡単な説明】
【００１４】
【図１】第１の実施例における投写システムの一例を示す図である。
【図２】第１の実施例におけるプロジェクターの機能ブロック図である。
【図３】第１の実施例における画像の投写手順を示すフローチャートである。
【図４】第１の実施例における全体画像の一例を示す図である。
【図５】第１の実施例におけるキャプチャー指示画像の一例を示す図である。
【図６】第１の実施例における再生指示画像の一例を示す図である。
【図７】第１の実施例における全体画像を示す画像の一例を示す図である。
【図８】第１の実施例における個別画像を示す画像の一例を示す図である。
【図９】第２の実施例におけるプロジェクターの機能ブロック図である。
【発明を実施するための形態】
【００１５】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１６】
（第１の実施例）
図１は、第１の実施例における投写システムの一例を示す図である。本実施例の投写システムは、プロジェクター１００と、ＰＣ２００と、ウェブカメラ３００を含んで構成されている。なお、ＰＣ２００とウェブカメラ３００は、画像供給装置の一種であり、プロジェクター１００に画像情報を供給する。プロジェクター１００は、ＰＣ２００からの画像情報に基づく個別画像４１１と、ウェブカメラ３００からの画像情報に基づく個別画像４１２を横に並べて配置した全体画像４００を投写し、キャプチャー指示に応じて各個別画像４１１、４１２を、画像情報で表される解像度でキャプチャーする機能を有している。また、プロジェクター１００は、再生指示に応じて、全体画像４００を示す画像または個別画像４１１、４１２を示す画像を投写する機能を有している。
【００１７】
次に、このような機能を有するプロジェクター１００の機能ブロックについて説明する。図２は、第１の実施例におけるプロジェクター１００の機能ブロック図である。プロジェクター１００は、ユーザーによる指示を受け付ける受付部１１０と、画像供給装置からの画像情報１３２が入力される入力部１２０と、データを記憶する記憶部１３０と、画像のキャプチャーを行うキャプチャー部１４０と、画像を投写する投写部１９０を含んで構成されている。また、記憶部１３０は、画像情報１３２、個別画像４１１、４１２を示す個別画像データ１３３、個別画像４１１、４１２が全体画像４００の一部として再生される際の解像度を示す第１の解像度データ１３４、個別画像４１１、４１２が個別画像４１１、４１２として再生される際の解像度を示す第２の解像度データ１３５、個別画像４１１、４１２が全体画像４００の一部として再生される際の位置を示す位置データ１３６等を記憶している。
【００１８】
なお、プロジェクター１００は、以下のハードウェアを用いてこれらの各部として機能してもよい。例えば、プロジェクター１００は、受付部１１０はリモコン（リモートコントローラー）、受光ユニット等、入力部１２０は画像入力端子、コンバーター等、記憶部１３０はＲＡＭ等、キャプチャー部１４０は画像処理回路、ＣＰＵ等、投写部１９０は画像処理回路、ランプ、液晶パネル、液晶駆動回路、レンズ等を用いてもよい。
【００１９】
次に、本実施例における画像の投写手順について説明する。図３は、第１の実施例における画像の投写手順を示すフローチャートである。入力部１２０は、ＰＣ２００から入力される画像を画像情報１３２（１３２ａ）として記憶部１３０に記憶し、ウェブカメラ３００から入力される画像を画像情報１３２（１３２ｂ）として記憶部１３０に記憶する（ステップＳ１）。
【００２０】
投写部１９０は、記憶部１３０に記憶された画像情報１３２に基づき、２つの個別画像４１１、４１２を含む全体画像４００を投写する（ステップＳ２）。図４は、第１の実施例における全体画像４００の一例を示す図である。全体画像４００では、ＰＣ２００の画像情報１３２に基づく個別画像４１１と、ウェブカメラ３００の画像情報１３２に基づく個別画像４１２が同じ大きさで横に並べられた状態になっている。例えば、全体画像４００の解像度が１２８０×８００ピクセルである場合、個別画像４１１、４１２の解像度（第１の解像度）は６４０×４００ピクセルである。
【００２１】
キャプチャー部１４０は、受付部１１０からの情報に基づき、全体画像４００のキャプチャー指示があったかどうかを判定する（ステップＳ３）。例えば、ユーザーは、リモコンのキャプチャー指示ボタンを押すことによって全体画像４００のキャプチャー指示を行う。
【００２２】
全体画像４００のキャプチャー指示があった場合、投写部１９０は、キャプチャー指示画像４２０を投写する（ステップＳ４）。図５は、第１の実施例におけるキャプチャー指示画像４２０の一例を示す図である。例えば、個別画像４１１、４１２を含む全体画像４０１が投写されている状態で全体画像４００のキャプチャー指示があった場合、投写部１９０は、全体画像４０１の前面にキャプチャー指示画像４２０を表示する。なお、キャプチャー指示画像４２０は、例えば、全体画像４００をキャプチャーする指示を受け付ける画像である。例えば、ユーザーは、リモコンを用いて、キャプチャー指示画像４２０で「はい」を選択することにより、全体画像４００をキャプチャーする指示を行うことができる。
【００２３】
受付部１１０によってキャプチャー指示が受け付けられた場合、キャプチャー部１４０は、全体画像４００をそのままキャプチャーするのではなく、画像情報１３２等に基づき、個別画像４１１、４１２を、投写部１９０の解像度以下の最大解像度（第２の解像度）で、個別画像データ１３３として記憶部１３０に記憶する。また、この場合、キャプチャー部１４０は、全体画像４００における個別画像４１１、４１２の解像度を示す第１の解像度データ１３４、第２の解像度を示す第２の解像度データ１３５、全体画像４００における個別画像４１１、４１２の左上位置（中央位置、右下位置等であってもよい。）を示す位置データ１３６を記憶部１３０に記憶する（ステップＳ５）。なお、本実施例では、個別画像４１１、４１２の第１の解像度は６４０×４００ピクセル、個別画像４１１、４１２の第２の解像度は１２８０×８００ピクセルである。
【００２４】
以上の処理によって全体画像４００のキャプチャーが完了する。ユーザーは、キャプチャー完了後、キャプチャーした画像の再生指示を行う。投写部１９０は、受付部１１０からの情報に基づき、再生指示があったかどうかを判定する（ステップＳ６）。再生指示があった場合、投写部１９０は、再生指示画像を投写する（ステップＳ７）。
【００２５】
図６は、第１の実施例における再生指示画像４３０の一例を示す図である。例えば、画像４０２の前面に配置された再生指示画像４３０は、再生対象として全体画像４００を選択するための「全体」が表記されたボタン画像、再生対象として個別画像４１１を選択するための「ＰＣ」が表記されたボタン画像、再生対象として個別画像４１２を選択するための「カメラ」が表記されたボタン画像を含む。なお、キャプチャー指示画像４２０、再生指示画像４３０は、ＯＳＤ（On Screen Display）画像であってもよい。
【００２６】
例えば、ユーザーは、リモコンを用いて、再生指示画像４３０で「全体」を選択することにより、全体画像４００を再生する指示を行うことができ、再生指示画像４３０で「ＰＣ」を選択することにより、個別画像４１１を再生する指示を行うことができる。受付部１１０によって再生指示が受け付けられた場合、投写部１９０は、当該再生指示の対象が全体画像４００であるかどうかを判定する（ステップＳ８）。
【００２７】
全体画像４００の再生指示である場合、投写部１９０は、個別画像データ１３３、第１の解像度データ１３４、位置データ１３６に基づき、全体画像４００を示す画像を再生（生成、投写）する（ステップＳ９）。図７は、第１の実施例における全体画像を示す画像４０３の一例を示す図である。画像４０３における個別画像４１１、４１２の解像度は、全体画像４００の一部として投写された際の解像度と同じ解像度（本実施例では、６４０×４００ピクセル）である。
【００２８】
一方、全体画像４００の再生指示でない場合、すなわち、個別画像４１１または個別画像４１２の再生指示である場合、投写部１９０は、個別画像データ１３３、第２の解像度データ１３５に基づき、個別画像４１１または個別画像４１２を示す画像を再生する（ステップＳ１０）。図８は、第１の実施例における個別画像４１１を示す画像４０４の一例を示す図である。画像４０４における個別画像４１１の解像度は、入力時の解像度（本実施例では、１２８０×８００ピクセル）と同じである。
【００２９】
以上のように、本実施例によれば、プロジェクター１００は、全体画像４００に対するキャプチャー指示に応じて、全体画像４００における個別画像４１１、４１２の第１の解像度よりも大きい第２の解像度で、個別画像データ１３３として記憶し、個別画像データ１３３を用いて個別画像４１１、４１２を示す画像を投写することができる。これにより、プロジェクター１００は、画像供給装置からの画像情報に基づく個別画像４１１、４１２を含む全体画像４００をキャプチャーして画像データを記憶し、当該画像データに基づく画像を再生する際に、全体画像４００を再生するか、個別画像４１１、４１２を再生するかに関係なく、より鮮明な画像を再生することができる。
【００３０】
また、本実施例によれば、プロジェクター１００は、第１の解像度データ１３４、第２の解像度データ１３５、位置データ１３６を記憶することにより、再生指示があった場合に適切な位置に適切な解像度で個別画像４１１、４１２を表示することができる。
【００３１】
また、本実施例によれば、プロジェクター１００は、投写部１９０の解像度以下の最大解像度で個別画像４１１、４１２を再生することができるため、より鮮明な画像を再生することができる。
【００３２】
また、本実施例によれば、プロジェクター１００は、キャプチャー指示画像４２０、再生指示画像４３０を投写することにより、ユーザーは、画像を確認しながらキャプチャー指示と再生指示を行える。これにより、プロジェクター１００は、ユーザーの使い勝手を向上させることができる。
【００３３】
また、本実施例によれば、プロジェクター１００は、全体画像４００のキャプチャー指示に対して全体画像４００を示す画像データを記憶しないことにより、記憶部１３０の必要容量を低減できる。すなわち、プロジェクター１００は、全体画像４００における個別画像４１１、４１２以外の画像がデフォルトの画像（例えば、単色画像、記憶済みの画像データに基づくユーザーロゴ画像等）であれば、全体画像４００を示す画像データを記憶しなくても、個別画像データ１３３を記憶することにより、個別画像４１１、４１２を含む全体画像４００を再生することができる。
【００３４】
（第２の実施例）
第１の解像度データ１３４、位置データ１３６の記憶は必須ではない。図９は、第２の実施例におけるプロジェクター１０１の機能ブロック図である。プロジェクター１０１のキャプチャー部１４１は、全体画像４００を示す全体画像データ１３７を記憶部１３１に記憶し、記憶部１３１は、第１の解像度データ１３４、位置データ１３６を記憶していない。
【００３５】
キャプチャー部１４１は、全体画像４００のキャプチャー指示が受け付けられた場合、個別画像４１１、４１２を示す個別画像データ１３３、第２の解像度データ１３５と、全体画像４００を示す全体画像データ１３７を記憶部１３１に記憶する。全体画像４００の再生指示が受け付けられた場合、投写部１９１は、全体画像データ１３７に基づき、全体画像４００を示す画像を投写する。
【００３６】
以上のように、本実施例によっても、プロジェクター１０１は、第１の実施例と同様の作用効果を奏する。また、本実施例によれば、プロジェクター１０１は、全体画像データ１３７を記憶することにより、全体画像４００の再生指示があった場合に適切な位置に適切な解像度で個別画像４１１、４１２を表示することができる。
【００３７】
また、本実施例によれば、プロジェクター１０１は、全体画像データ１３７を記憶することにより、全体画像における個別画像以外の画像がデフォルトの画像でない場合（例えば、ユーザーが一時的に描画した画像等）であっても、個別画像を含む全体画像を正確に再生することができる。
【００３８】
（その他の実施例）
なお、本発明の適用は上述した実施例に限定されず、種々の変形が可能である。例えば、上述した第２の解像度は、投写部１９０、１９１の解像度以下の最大解像度に限定されず、投写部１９０、１９１の解像度を超える解像度であってもよい。例えば、投写部１９０、１９１は、仮想ディスプレイ機能を用いて投写部１９０、１９１の解像度を超える解像度で個別画像４１１、４１２を示す画像を再生することが可能である。また、第２の解像度は、元の画像のアスペクト比を変化させない解像度であってもよい。
【００３９】
また、個別画像４１１、４１２の個数は２個に限定されず、１個であってもよいし、３個以上であってもよい。すなわち、プロジェクター１００、１０１は、１台の画像供給装置から画像情報１３２が入力されてもよいし、３台以上の画像供給装置から画像情報１３２が入力されてもよい。
【００４０】
また、画像供給装置は、ＰＣ２００、ウェブカメラ３００に限定されず、例えば、ＤＶＤプレーヤー、ブルーレイディスクプレーヤー、携帯電話、携帯情報端末、ゲーム装置、テレビ等であってもよい。
【００４１】
また、プロジェクター１００、１０１の有するコンピューターは、情報記憶媒体に記憶されたプログラムを読み取ってキャプチャー部１４０、１４１等として機能してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【００４２】
また、プロジェクター１００、１０１は、液晶プロジェクター（透過型、ＬＣＯＳ等の反射型）に限定されず、例えば、デジタルマイクロミラーデバイスを用いたプロジェクター等であってもよい。また、投写部１９０、１９１は、ランプの代わりにＬＥＤ等の固体光源を含んでもよい。また、プロジェクター１００、１０１の機能を複数の装置（例えば、ＰＣとプロジェクター等）に分散してもよい。
【符号の説明】
【００４３】
１００、１０１  プロジェクター、１１０  受付部、１２０  入力部、１３０、１３１  記憶部、１３２  画像情報、１３３  個別画像データ、１３４  第１の解像度データ、１３５  第２の解像度データ、１３６  位置データ、１３７  全体画像データ、１４０、１４１  キャプチャー部、１９０、１９１  投写部、２００  ＰＣ（画像供給装置）、３００  ウェブカメラ（画像供給装置）、４００、４０１  全体画像、４０２〜４０４  画像、４１１、４１２  個別画像、４２０  キャプチャー指示画像、４３０  再生指示画像
【図２】
2011216996.tif 000003
【図３】
2011216996.tif 000004
【図１】
2011216996.tif 000005
【図４】
2011216996.tif 000006
【図５】
2011216996.tif 000007
【図６】
2011216996.tif 000008
【図７】
2011216996.tif 000009
【図８】
2011216996.tif 000010
【図９】
2011216996.tif 000011